(57)【要約】    【課題】  インターネット上に存在する画像データ保存サーバに保存した画像データを他人が自由に取得し、撮影画像を閲覧するのを防止することができる携帯情報端末を提供する。    【解決手段】  携帯情報端末１０１は、カメラ部１０８で撮影が行われると撮影画像データ２０１を作成して外部記憶装置１０９に一時的に記憶し、生成した暗号鍵に基づいて撮影画像データを暗号化して暗号画像データ２０３を作成し、暗号画像データ２０３を画像データ保存サーバ１１４に送信する。【選択図】      図３
2005122455.tif 000002
【特許請求の範囲】
【請求項１】
被写体を撮影して画像データを作成する撮影手段と、前記作成した画像データを暗号化して暗号画像データを作成する暗号化手段と、前記暗号画像データをインターネット上の画像データ保存サーバに送信する送信手段とを備えることを特徴とする携帯情報端末。
【請求項２】
前記暗号化手段は、画像データの暗号化に必要な暗号鍵を生成し、前記生成した暗号鍵に基づいて前記作成した画像データを暗号化することを特徴とする請求項１記載の携帯情報端末。
【請求項３】
前記作成した画像データのサムネイル画像データを作成するサムネイル画像データ作成手段と、前記作成したサムネイル画像データに基づいてサムネイル画像を一覧表示するサムネイル画像表示手段と、前記一覧表示されたサムネイル画像から選択された表示すべき画像の暗号画像データを前記画像データ保存サーバから受信する受信手段と、前記受信した暗号画像データを複合化する複合化手段と、前記複合化した画像を表示する画像表示手段とを備えることを特徴とする請求項１又は２記載の携帯情報端末。
【請求項４】
前記画像データ保存サーバのアドレス及び前記暗号画像データを特定する識別情報を前記サムネイル画像データに記憶する識別情報記憶手段を備え、前記受信手段は、前記記憶した画像データ保存サーバのアドレス及び暗号画像データを特定する識別情報に基づいて前記暗号画像データを前記画像データ保存サーバから受信することを特徴とする請求項３記載の携帯情報端末。
【請求項５】
前記暗号画像データの復号化に必要な復号鍵を前記サムネイル画像データに記憶する復号鍵記憶手段を備え、前記複合化手段は、前記受信した暗号画像データを前記記憶した復号鍵に基づいて複合化することを特徴とする請求項３又は４記載の携帯情報端末。
【請求項６】
前記暗号画像データのチェックサムを計算して前記サムネイル画像データに記憶するチェックサム記憶手段と、前記記憶したチェックサムに基づいて前記受信した暗号画像データの誤りを検出する誤り検出手段とを備えることを特徴とする請求項３乃至５のいずれか１項に記載の携帯情報端末。
【請求項７】
前記サムネイル画像データを他の携帯情報端末に送信するサムネイル画像データ送信手段を備えることを特徴とする請求項３乃至６のいずれか１項に記載の携帯情報端末。
【請求項８】
前記サムネイル画像データ送信手段は、赤外線通信により前記サムネイル画像データを他の携帯情報端末に送信することを特徴とする請求項７記載の携帯情報端末。
【請求項９】
前記サムネイル画像データ送信手段は、前記サムネイル画像データを電子メールに添付することにより他の携帯情報端末に送信することを特徴とする請求項７記載の携帯情報端末。
【発明の詳細な説明】
【技術分野】
【０００１】
本発明は、携帯情報端末に関し、特に、電子スチルカメラの機能と無線通信によるインターネット接続機能を有する携帯情報端末に関する。
【背景技術】
【０００２】
電子スチルカメラの機能と無線通信によるインターネット通信機能を有する携帯情報端末は、該携帯情報端末が備える無線通信装置によりインターネットに接続して、インターネット上に存在する画像データ保存サーバと通信を行い、電子スチルカメラの機能により撮影した撮影画像の画像データを画像データ保存サーバに保存することができる（例えば、特許文献１）。
【０００３】
上記携帯情報端末は、画像データを大量に蓄積するために、内蔵記憶装置やメモリカード型の外部記憶装置等の記憶装置を備える必要がなく、ユーザは画像データを保存するためのメモリの残量を気にすることなく撮影することができる。
【特許文献１】特開２００３−２５９２７３号公報
【発明の開示】
【発明が解決しようとする課題】
【０００４】
しかしながら、上記携帯情報端末において、画像データは携帯情報端末本体に保存されず、インターネット上に存在する画像データ保存サーバに保存されるので、他人が画像データ保存サーバにアクセスして画像データを自由に取得し、撮影画像を閲覧する可能性がある。
【０００５】
本発明の目的は、インターネット上に存在する画像データ保存サーバに保存した画像データを他人が自由に取得し、撮影画像を閲覧するのを防止することができる携帯情報端末を提供することにある。
【課題を解決するための手段】
【０００６】
上述の目的を達成するために、請求項１記載の携帯情報端末は、被写体を撮影して画像データを作成する撮影手段と、前記作成した画像データを暗号化して暗号画像データを作成する暗号化手段と、前記暗号画像データをインターネット上の画像データ保存サーバに送信する送信手段とを備えることを特徴とする。
【０００７】
請求項２記載の携帯情報端末は、請求項１に記載の携帯情報端末において、前記暗号化手段は、画像データの暗号化に必要な暗号鍵を生成し、前記生成した暗号鍵に基づいて前記作成した画像データを暗号化することを特徴とする。
【０００８】
請求項３記載の携帯情報端末は、請求項１又は２記載の携帯情報端末において、前記作成した画像データのサムネイル画像データを作成するサムネイル画像データ作成手段と、前記作成したサムネイル画像データに基づいてサムネイル画像を一覧表示するサムネイル画像表示手段と、前記一覧表示されたサムネイル画像から選択された表示すべき画像の暗号画像データを前記画像データ保存サーバから受信する受信手段と、前記受信した暗号画像データを複合化する複合化手段と、前記複合化した画像を表示する画像表示手段とを備えることを特徴とする。
【０００９】
請求項４記載の携帯情報端末は、請求項３記載の携帯情報端末において、前記画像データ保存サーバのアドレス及び前記暗号画像データを特定する識別情報を前記サムネイル画像データに記憶する識別情報記憶手段を備え、前記受信手段は、前記記憶した識別情報に基づいて前記暗号画像データを前記画像データ保存サーバから受信することを特徴とする。
【００１０】
請求項５記載の携帯情報端末は、請求項３又は４記載の携帯情報端末において、前記暗号画像データの復号化に必要な復号鍵を前記サムネイル画像データに記憶する復号鍵記憶手段を備え、前記複合化手段は、前記受信した暗号画像データを前記記憶した復号鍵に基づいて複合化することを特徴とする。
【００１１】
請求項６記載の携帯情報端末は、請求項３乃至５のいずれか１項に記載の携帯情報端末において、前記暗号画像データのチェックサムを計算して前記サムネイル画像データに記憶するチェックサム記憶手段と、前記記憶したチェックサムに基づいて前記受信した暗号画像データの誤りを検出する誤り検出手段とを備えることを特徴とする。
【００１２】
請求項７記載の携帯情報端末は、請求項３乃至６のいずれか１項に記載の携帯情報端末において、前記サムネイル画像データを他の携帯情報端末に送信するサムネイル画像データ送信手段を備えることを特徴とする。
【００１３】
請求項８記載の携帯情報端末は、請求項７記載の携帯情報端末において、前記サムネイル画像データ送信手段は、赤外線通信により前記サムネイル画像データを他の携帯情報端末に送信することを特徴とする。
【００１４】
請求項９記載の携帯情報端末は、請求項７記載の携帯情報端末において、前記サムネイル画像データ送信手段は、前記サムネイル画像データを電子メールに添付することにより他の携帯情報端末に送信することを特徴とする。
【発明の効果】
【００１５】
請求項１記載の携帯情報端末によれば、被写体を撮影して画像データを作成し、作成した画像データを暗号化して暗号画像データを作成し、暗号画像データをインターネット上の画像データ保存サーバに送信するので、インターネット上に存在する画像データ保存サーバに保存した画像データを他人が自由に取得し、撮影画像を閲覧するのを防止することができる。
【００１６】
請求項２記載の携帯情報端末によれば、画像データの暗号化に必要な暗号鍵を生成し、生成した暗号鍵に基づいて作成した画像データを暗号化するので、請求項１の効果を確実に奏することができる。
【００１７】
請求項３記載の携帯情報端末によれば、一覧表示されたサムネイル画像から選択された表示すべき画像の暗号画像データを画像データ保存サーバから受信し、受信した暗号画像データを複合化し、複合化した画像を表示するので、インターネット上に存在する画像データ保存サーバに保存した画像データを取得し、撮影画像を閲覧することができる。
【００１８】
請求項４記載の携帯情報端末によれば、記憶した画像データ保存サーバのアドレス及び暗号画像データに基づいて暗号画像データを画像データ保存サーバから受信するので、請求項３の効果を確実に奏することができる。
【００１９】
請求項５記載の携帯情報端末によれば、受信した暗号画像データを記憶した復号鍵に基づいて複合化するので、請求項３の効果を確実に奏することができる。
【００２０】
請求項６記載の携帯情報端末によれば、記憶したチェックサムに基づいて受信した暗号画像データの誤りを検出するので、通信時に生じたデータの誤りを検出することができる。
【００２１】
請求項７記載の携帯情報端末によれば、サムネイル画像データを他の携帯情報端末に送信するので、他の携帯情報端末に画像を表示することができる。
【００２２】
請求項８記載の携帯情報端末によれば、赤外線通信によりサムネイル画像データを他の携帯情報端末に送信するので、請求項７の効果を確実に奏することができる。
【００２３】
請求項９記載の携帯情報端末によれば、サムネイル画像データを電子メールに添付することにより他の携帯情報端末に送信するので、請求項７の効果を確実に奏することができる。
【発明を実施するための最良の形態】
【００２４】
以下、本発明の実施の形態を図面を参照しながら説明する。
【００２５】
図１は、本発明の実施の形態に係る携帯情報端末の内部構成を示すブロック図である。
【００２６】
図１において、携帯情報端末１０１は、システムプログラムを実行するＣＰＵ１０３と、システムプログラムを格納するＲＯＭ１０４と、システムプログラム実行時に使用される一時記憶装置であるＲＡＭ１０５と、表示装置１０７の表示を制御する表示制御装置１０６と、撮影画像データを作成する撮像回路を有するカメラ部１０８と、例えば、ＳＤ、ＭＭＣ、ＣＦ、ＰＣカード等で構成され、記憶素子部分を携帯情報端末１０１本体から取り外すことが可能な外部記憶装置１０９と、携帯情報端末１０１が備えるキー入力装置、及び表示装置１０７に表示されるＧＵＩインターフェースを触れることにより操作されるディジタイザから構成される操作部１１０と、無線通信１１２によりインターネット１１３を介して画像データ保存サーバ１１４に接続する機能を有する通信制御装置１１１とを備え、これらはシステムバス１０２を介して、互いに接続される。
【００２７】
また、携帯情報端末１０１は、表示制御装置１０６に接続された液晶ディスプレイ装置としての表示装置１０７を備える。表示制御装置１０６は、システムバス１０２を介して取得した画面出力信号を表示装置１０７に表示する。
【００２８】
カメラ部１０８で作成された撮影画像データは、カメラ部１０８が内蔵する画像圧縮装置によって圧縮され、ＲＡＭ１０５又は外部記憶装置１０９に転送されて、暗号化された上で、インターネット１１３上に存在する画像データ保存サーバ１１４に保存される。
【００２９】
通信制御装置１１１は、インターネットの標準プロトコルであるＴＣＰ／ＩＰプロトコル群による通信を行うことができる。なお、通信は、通信制御装置１１１に携帯電話、ＰＨＳを接続して行ってもよい。
【００３０】
図２は、図１の携帯情報端末１０１の撮影画像データを保存する動作を説明するのに用いられる図である。
【００３１】
図２において、携帯情報端末１０１のカメラ部１０８で撮影画像データ２０１が作成されると、撮影画像データ２０１を携帯情報端末１０１の外部記憶装置１０９に一時的に記憶し、記憶した撮影画像データ２０１のサムネイル画像データ２０２を作成し、サムネイル画像データ２０２を外部記憶装置１０９に記憶する。
【００３２】
次いで、撮影画像データ２０１を暗号化して暗号画像データ２０３を作成し、作成した暗号画像データ２０３をインターネットを介して画像データ保存サーバ１１４に送信する。
【００３３】
同時に、携帯情報端末１０１は、画像データ保存サーバ１１４に保存した暗号画像データ２０３を受信する際にデータの整合性確認のために使用するチェックサム２０４と、暗号画像データ２０３を復号化するための復号鍵２０５と、画像データ保存サーバ１１４のインターネット上のアドレス２０６と、画像データ保存サーバ１１４上で暗号画像データ２０３を特定するための識別情報（例えば、ファイル名）２０７と、撮影画像データ２０１の撮影日時２０８とをサムネイル画像データ２０２の撮影画像データ２０１毎に取得し、これらの情報をサムネイル画像データ２０２に埋め込んだ後、撮影画像データ２０１を携帯情報端末１０１の外部記憶装置１０９から削除し、サムネイル画像データ２０２のみを外部記憶装置１０９に記憶する。
【００３４】
記憶されたサムネイル画像データ２０２に基づいてサムネイル画像が表示装置１０７に一覧表示され、ユーザは一覧表示されたサムネイル画像の中から画面表示したい画像を選択する。携帯情報端末１０１は、選択された画像のサムネイル画像データ２０２から暗号画像データ２０３が保存されている画像データ保存サーバ１１４のインターネット上のアドレス２０６、及び暗号画像データ２０３を特定する識別情報２０７を取得し、画像データ保存サーバ１１４から暗号画像データ２０３を受信し、受信した暗号画像データを復号鍵２０５に基づいて復号化して、複合化した画像データに基づいて画像を表示装置１０７に表示する。
【００３５】
図３は、図１の携帯情報端末１０１によって実行される撮影画像データ保存処理のフローチャートである。
【００３６】
図３において、携帯情報端末１０１は、カメラ部１０８で撮影が行われると撮影画像データ２０１を作成して外部記憶装置１０９に一時的に記憶し（ステップＳ３０１）（撮影手段）、撮影画像データ２０１の暗号化するために常に同じ暗号鍵を用いるように設定されているか否かを判別し（ステップＳ３０２）、暗号鍵が生成されていないか、又は撮影毎に異なる暗号鍵を使用するように設定されているときは、暗号鍵を生成し（ステップＳ３０３）、既に暗号鍵が生成されており、常に同じ暗号鍵を用いるように設定されているときは、ステップＳ３０３の処理を実行することなく、ステップＳ３０４へ進む。
【００３７】
次いで、撮影画像データ２０１のサムネイル画像データ２０２を作成して外部記憶装置１０９に記憶し（ステップＳ３０４）（サムネイル画像データ作成手段）、ステップＳ３０４で生成した暗号鍵に基づいて撮影画像データを暗号化して暗号画像データ２０３を作成し（ステップＳ３０５）（暗号化手段）、作成した暗号画像データを外部記憶装置１０９に記憶し（ステップＳ３０６）、暗号画像データ２０３のチェックサム２０５を計算してサムネイル画像データ２０２に埋め込み（ステップＳ３０７）（チェックサム記憶手段）、暗号画像データ２０３を復号化するための復号鍵２０５を取得してサムネイル画像データ２０２に埋め込んで（ステップＳ３０８）（復号鍵記憶手段）、後述する図４の送信処理を実行して暗号画像データ２０３を画像データ保存サーバ１１４に送信した（ステップＳ３０９）後、本処理を終了する。
【００３８】
図３の処理によれば、ステップＳ３０４で生成した暗号鍵を用いて撮影画像データを暗号化して暗号画像データ２０３を作成し（ステップＳ３０５）、暗号画像データ２０３を画像データ保存サーバ１１４に送信する（ステップＳ３０９）ので、インターネット上に存在する画像データ保存サーバに保存した画像データを他人が自由に取得し、撮影画像を閲覧するのを防止することができる。
【００３９】
図４は、図３のステップＳ３０９の送信処理のフローチャートである。
【００４０】
図４において、まず、携帯情報端末１０１の通信制御装置１１１がインターネット１１３に接続中であるか否かを判別し（Ｓ４０１）、インターネット１１３に接続中でないときは、インターネット１１３に接続を行い（ステップＳ４０２）、インターネットに接続されたときは（ステップＳ４０３でＹＥＳ）、画像データ保存サーバ１１４との通信を確立し（ステップＳ４０４）、画像データ保存サーバ１１４との通信が正常に確立されたときは（ステップＳ４０５でＹＥＳ）、暗号画像データ２０３を画像データ保存サーバ１１４に送信する（ステップＳ４０６）（送信手段）。
【００４１】
ステップＳ４０１の判別の結果、既にインターネット１１３に接続中であるときは、インターネット１１３に接続手続き処理（ステップＳ４０２〜ステップＳ４０３）を行うことなく、ステップＳ４０４以降の処理を実行する。
【００４２】
次いで、暗号画像データ２０３を送信した画像データ保存サーバ１１４のアドレス２０６及び暗号画像データ２０３を特定する識別情報２０７を取得して、対応するサムネイル画像データ２０２に埋め込み（ステップＳ４０７）（識別情報記憶手段）、送信済みの暗号画像データ２０３を携帯情報端末１０１本体から削除して（ステップＳ４０８）、本処理を終了する。
【００４３】
ステップＳ４０３の判別の結果、インターネット１１３に接続されなかったとき、又はステップＳ４０５の判別の結果、画像データ保存サーバ１１４との通信が正常に確立されなかったときは、暗号画像データ２０３を送信することなく、本処理を終了する。このとき暗号画像データ２０３は携帯情報端末１０１の外部記憶装置に記憶されている（ステップＳ３０６）ので、暗号画像データ２０３を送信可能なときに改めて送信することができる。
【００４４】
図４の処理によれば、暗号画像データ２０３を画像データ保存サーバ１１４に送信する（ステップＳ４０６）ので、インターネット上に存在する画像データ保存サーバに保存した画像データを他人が自由に取得し、撮影画像を閲覧するのを防止することができる。
【００４５】
図５は、図１の携帯情報端末１０１によって実行される画像表示処理のフローチャートである。
【００４６】
図５において、サムネイル画像データ２０２に基づいてサムネイル画像が表示装置１０７に一覧表示され（サムネイル画像表示手段）、一覧表示されたサムネイル画像の中からユーザが画面表示すべき画像を選択すると（ステップＳ５０１）、ユーザが選択した画像のサムネイル画像データ２０２から情報を取得する（ステップＳ５０２）。
【００４７】
ステップＳ５０１で取得する情報は、暗号画像データを保存している画像データ保存サーバ１１４のインターネット上のアドレス２０６、画像データ保存サーバ１１４上の暗号画像データ２０３を特定する識別情報２０７、暗号画像データ２０３のチェックサム２０４、及び暗号画像データ２０３を複合化するための復号鍵２０５である。
【００４８】
次いで、携帯情報端末１０１は、取得した画像データ保存サーバ１１４のアドレス２０６及び暗号画像データ２０３の識別情報２０７に基づいて、画像データ保存サーバ１１４に該当する暗号画像データ２０３の有無を問い合わせると（ステップＳ５０３）、画像データ保存サーバ１１４は、暗号画像データ２０３を検索し（ステップＳ５０４）、検索結果を携帯情報端末１０１に送信する（ステップＳ５０５）。
【００４９】
携帯情報端末１０１は、検索結果を受信し（ステップＳ５０６）、問い合わせた暗号画像データ２０３が画像データ保存サーバ１１４に存在するときは（ステップＳ５０７でＹＥＳ）、画像データ保存サーバ１１４に対して暗号画像データ２０３の送信を要求し（ステップＳ５０８）、画像データ保存サーバ１１４は、送信要求を受信して、暗号画像データ２０３を携帯情報端末１０１に送信する（ステップＳ５０９）。
【００５０】
次いで、携帯情報端末１０１は、送信された暗号画像データを受信し（ステップＳ５１０）（受信手段）、ステップＳ５０２で取得したチェックサム２０４に基づいて、受信した暗号画像データ２０３が正常であるか否かを判別し（ステップＳ５１１）（誤り検出手段）、受信した暗号画像データ２０３が正常であるときは、ステップＳ５０２で取得した復号鍵２０５に基づいて暗号画像データ２０３を復号化し（ステップＳ５１２）（複合化手段）、複合化した画像データに基づいて画像を携帯情報端末１０１の表示装置１０７に表示して（ステップＳ５１３）（画像表示手段）、本処理を終了する。
【００５１】
ステップＳ５０７の判別の結果、問い合わせた暗号画像データ２０３が画像データ保存サーバ１１４に存在しないときは、エラーメッセージを携帯情報端末１０１の表示装置１０７に表示し（ステップＳ５１４）、暗号画像データ２０３に対応するサムネイル画像データ２０２を携帯情報端末１０１の外部記憶装置１０９から削除して（ステップＳ５１５）、本処理を終了する。
【００５２】
ステップＳ５１１の判別の結果、受信した暗号画像データ２０３が正常でなく、誤りがあるときは、エラーメッセージを携帯情報端末１０１の表示装置１０７に表示して（ステップＳ５１４）、本処理を終了する。
【００５３】
図５の処理によれば、携帯情報端末１０１は、サムネイル画像データ２０２から取得した情報（ステップＳ５０２）により、暗号画像データを受信し（ステップＳ５１０）、暗号画像データ２０３を復号化する（ステップＳ５１２）ので、インターネット上に存在する画像データ保存サーバに保存した画像データを取得し、撮影画像を閲覧することができる。
【００５４】
図５の処理では、サムネイル画像データ２０２を作成して外部記憶装置１０９に記憶した携帯情報端末１０１にのみ画像を表示することができるが、図６及び図７に示すように、携帯情報端末１０１ａが撮影時に作成したサムネイル画像データ２０２を、他の携帯情報端末１０１ｂに送信することにより、他の携帯情報端末１０１ｂで暗号画像データ２０３を画像データ保存サーバ１１４から受信して、他の携帯情報端末１０１ｂに画像を表示することもできる（サムネイル画像データ送信手段）。
【００５５】
図６において、送信側携帯情報端末１０１ａは、赤外線通信６０１によってサムネイル画像データ２０２を受信側携帯情報端末１０１ｂへ送信する。送信されたサムネイル画像データ２０２のサムネイル画像は、受信側携帯情報端末１０１ｂのサムネイル画像の一覧表示に追加される。
【００５６】
図６では、携帯情報端末１０１間の通信は赤外線通信であるとしたが、シリアルケーブル、ＵＳＢケーブルなどの有線媒体による通信であってもよく、また Bluetooth による無線通信であってもよい。
【００５７】
図７において、送信側携帯情報端末１０１ａは、電子メール７０１を利用してサムネイル画像データ２０２を受信側携帯情報端末１０１ｂへ送信する。サムネイル画像データ２０２は、電子メール７０１の添付ファイルとして送信される。添付されたサムネイル画像データ２０２のサムネイル画像は、自動的に受信側携帯情報端末１０１ｂのサムネイル画像の一覧表示に追加される。
【００５８】
図６及び図７の処理によれば、携帯情報端末１０１ａが撮影時に作成したサムネイル画像データ２０２を、他の携帯情報端末１０１ｂに送信するので、他の携帯情報端末１０１ｂは、暗号画像データ２０３を画像データ保存サーバ１１４から受信することができ、もって、他の携帯情報端末に画像を表示することができる。
【図面の簡単な説明】
【００５９】
【図１】本発明の実施の形態に係る携帯情報端末の内部構成を示すブロック図である。
【図２】図１の携帯情報端末１０１の撮影画像データを保存する動作を説明するのに用いられる図である。
【図３】図１の携帯情報端末１０１によって実行される撮影画像データ保存処理のフローチャートである。
【図４】図３のステップＳ３０９の送信処理のフローチャートである。
【図５】図１の携帯情報端末１０１によって実行される画像表示処理のフローチャートである。
【図６】図１の携帯情報端末１０１のサムネイル画像データを送信する動作を説明するのに用いられる図である。
【図７】図１の携帯情報端末１０１のサムネイル画像データを送信する動作を説明するのに用いられる図である。
【符号の説明】
【００６０】
１０１  携帯情報端末
１０７  表示装置
１０８  カメラ部
１０９  外部記憶装置
１１１  通信制御装置
１１３  インターネット
１１４  画像データ保存サーバ
【図１】
2005122455.tif 000003
【図２】
2005122455.tif 000004
【図３】
2005122455.tif 000005
【図４】
2005122455.tif 000006
【図５】
2005122455.tif 000007
【図６】
2005122455.tif 000008
【図７】
2005122455.tif 000009